(57)【特許請求の範囲】
【請求項１】
誤り訂正の符号化がなされている信号部分と誤り訂正の符号化がなされていない信号部分を有する連続信号を送信する無線装置の送信電力制御方法において、
受信信号に含まれる送信電力制御データを抽出し、
該送信電力制御データに基づいた送信電力制御を、前記誤り訂正の符号化がなされている信号部分で行うことを特徴とする送信電力制御方法。
【請求項２】
受信品質を測定する信号部分と、受信品質の測定を行わない信号部分を有する連続信号を送信する無線装置の送信電力制御方法において、
受信信号に含まれる送信電力制御データを抽出し、
該送信電力制御データに基づいた送信電力制御を、前記受信品質の測定を行わない信号部分で行うことを特徴とする送信電力制御方法。
【請求項３】
送信電力を変更するタイミングを前記信号部分の期間内でランダムに切り替えることを特徴とする請求項１又２記載の送信電力制御方法。
【請求項４】
送信電力を変更するタイミングを切り替える範囲を特定し、該範囲内で送信電力の変更タイミングを切り替えることを特徴とする請求項３記載の送信電力制御方法。
【請求項５】
送信電力を変更するタイミングを複数持ち、規則的に変更タイミングを切り替えることを特徴とする請求項１又２記載の送信電力制御方法。
【請求項６】
送信電力を変更するタイミングを切り替える範囲を特定し、該範囲内で送信電力の変更タイミングを切り替えることを特徴とする請求項５記載の送信電力制御方法。
【請求項７】
誤り訂正の符号化がなされている信号部分と誤り訂正の符号化がなされていない信号部分を有する連続信号を送信する無線装置の送信電力制御方法において、
フレームの先頭を誤り訂正のための符号化がなされている信号部分にし、
受信信号に含まれる送信電力制御データを抽出し、
該送信電力制御データに基づいた送信電力制御をフレームの先頭で行うことを特徴とする送信電力制御方法。
【請求項８】
受信品質を測定する信号部分と、受信品質の測定を行わない信号部分を有する連続信号を送信する無線装置の送信電力制御方法において、
フレームの先頭を受信品質の測定を行わない部分にし、
受信信号に含まれる送信電力制御データを抽出し、
該送信電力制御データに基づいた送信電力制御をフレームの先頭で行うことを特徴とする送信電力制御方法。
【請求項９】
送信データの識別を必要としない信号部分を有する連続信号を送信する無線装置の送信電力制御方法において、
受信信号に含まれる送信電力制御データを抽出し、
該送信電力制御データに基づいた送信電力制御を、前記送信データの識別を必要としない信号部分で行うことを特徴とする送信電力制御方法。
【請求項１０】
波形整形用フィルタを備えた無線装置の送信電力制御方法において、
受信信号に含まれる送信電力制御データを抽出し、
該送信電力制御データに基づいて、波形整形フィルタに入力するデータ値を制御あるいはフィルタ係数を制御することにより送信電力制御を行うことを特徴とする送信電力制御方法。
【発明の詳細な説明】
【０００１】
【発明の属する技術分野】
本発明は無線装置の送信電力制御方法に係わり、特に、通信品質に悪影響を与えることなく送信電力制御ができる無線装置の送信電力制御方法に関する。
【０００２】
【従来の技術】
ワイヤレスマルチメディア通信を実現する次世代の移動通信システムとして、ＤＳ−ＣＤＭＡ（Ｄｉｒｅｃｔ  Ｓｅｑｕｅｎｃｅ  Ｃｏｄｅ  Ｄｉｖｉｓｉｏｎ  Ｍｕｌｔｉｐｌｅ  Ａｃｃｅｓｓ：直接拡散符号分割多元接続）技術を用いたデジタルセルラー無線通信システムの開発が進められている。かかるＣＤＭＡデジタルセルラー無線通信システムにおいて、基地局は制御情報やユーザ情報を拡散符号で多重して伝送し、各移動局は基地局より指定された拡散符号を用いて情報を拡散して伝送する。
【０００３】
・ＣＤＭＡ移動局の受信部の構成
図２４はＣＤＭＡ移動局の受信部の構成図であり、１はアンテナ、２は受信回路であり、増幅動作やＲＦからＩＦへの周波数変換動作を行うもの、３はＱＰＳＫ直交検波を行ってＩ，Ｑ信号を出力するＱＰＳＫ直交検波部、４は検波出力であるベースバンドのアナログＩ，Ｑ信号をデジタルに変換するＡＤコンバータ、５はＡＤコンバータ出力であるＩ，Ｑデータに逆拡散処理を施す逆拡散回路、６は同期検波、データ判定、誤り訂正等を行うデータ復調部、７は逆拡散開始タイミング（受信拡散符号の位相）を識別するために相関演算を行う相関器、８は相関値より逆拡散開始タイミング（位相）を識別するタイミング決定部である。データ復調部６において、６ａは逆拡散信号（Ｉ，Ｑ信号）を入力されて同期検波を行う同期検波部、６ｂは復調された受信データに誤り訂正処理を施す誤り訂正部、６ｃはデータ識別部である。
【０００４】
相関器７は例えばマッチトフィルタで構成されており、既知の参照拡散符号列（基地局側と同一の拡散符号列）の位相をシフトし、位相シフト毎に該参照拡散符号列と受信した拡散データ列との相関演算を行って相関値を演算する。タイミング決定部８は相関器７により演算された相関値が設定レベル以上になったか監視し、設定レベル以上になったタイミングに基づいて逆拡散開始タイミング（位相）を決定して逆拡散回路５に入力する。
【０００５】
データ復調部６の同期検波部６ａは、受信信号に含まれるパイロットシンボルを検出し、該パイロットシンボルと既知のパイロットシンボル間の位相差を求め、該位相差分、逆拡散されたＩ，Ｑ信号の位相を元に戻すものである。ＣＤＭＡ通信において、送信側はフレーム先頭にパイロット新を挿入し、該パイロットシンボル以降にデータを配列する。送信側はかかるフレームデータ列をＩ，Ｑデータ列に振り分け、それぞれに拡散変調を施し、しかる後、ＱＰＳＫ変調を施して送信する。従って、データ及びパイロットは、それぞれＩ，Ｑの２ビットで１つのシンボルを形成し、このシンボルはＩ−Ｑ複素平面で表記するとＩ＋ｊＱ＝（Ｉ２＋Ｑ２）１／２ｅｘｐ（ｊθ）となる。データシンボル及びパイロットシンボルは伝送により位相回転を受けるが、受信側においてその信号点位置ベクトルＰＡＣＴ（図２５参照）がわかればパイロットシンボルの理想信号点位置ベクトルＰＩＤＬは既知であるから、伝送によるシンボルの位相回転角度θが求まる。そこで、同期検波部６ａはパイロットシンボルを検出してその位相回転角度θを演算し、各データシンボルに回転角度−θ分の回転処理を施して元に戻して受信データの    ”１”，”０”を判定する。これにより、精度の高いデータ復調を可能にする。
【０００６】
・送信電力制御の必要性
ところで、ある移動局に着目すると他の移動局から出力される信号は干渉波となり、他の移動局から出力する信号強度が大きいと通信が不可能になる。同様に、ある移動局から出力される信号は他の移動局に対して干渉波となり、その信号強度が大きいと他の移動局は通信が不可能になる。このため、送信電力制御が必要になり、各局は受信信号電力と干渉波電力の比（Ｓ／Ｉ比）などの受信品質に基づいて相手局にＴＰＣビット（送信電力制御データ）で送信電力を指示し、同様に相手局からのＴＰＣビットによる指示に基づいて送信電力を制御する。
【０００７】
・送信電力制御の構成
図２６はＣＤＭＡ局の送信電力制御に関係する部分の要部構成図である。図２６において、１１は送信データ生成部であり、パイロットビット、ＴＰＣビット、データビットより物理チャネルのフォーマットに従って２系列の送信データ列ａ１，ａ２を生成する。すなわち、データは１ビットづつ交互に振り分けられて同相成分（Ｉ成分：Ｉｎ−Ｐｈａｓｅ  ｃｏｍｐｏｒｎｅｎｔ）と直交成分（Ｑ成分：Ｑｕａｄｒａｔｕｒｅ  ｃｏｍｐｏｒｎｅｎｔ）の２系列となって送信データ生成部１１に入力し、送信データ生成部１１はそれぞれにパイロットビット、ＴＰＣビットを付加して２系列（Ｉチャネル、Ｑチャネル）の送信データ列ａ１、ａ２を出力する。
【０００８】
１２１，１２２は２系列の送信データ列ａ１、ａ２の各々をチップ周波数の拡散符号を用いて拡散する拡散部、１３１，１３２はＦＩＲフィルタで構成した波形整形フィルタであり、タップ数に応じた時間の信号遅延を生じる。１４１，１４２は各フィルタ出力をＤＡ変換して出力するＤＡコンバータ、１５はＩ，Ｑ系列の拡散信号を直交変調する直交変調部、１６は送信部（Ｔｘ）で、直交変調された信号を送信周波数までアップコンバージョンすると共に所定の送信電力で送信する。直交変調部１５はＩチャネル信号及びＱチャネル信号に搬送波（ｓｉｎ波、ｃｏｓ波）を乗算する乗算器１５ａ，１５ｂと乗算結果を合成して出力するハイブリッド１３ｃを有している。送信部１６は、周波数変換器や電力増幅器に加えて、送信電力制御電圧ｂに基づいて減衰度を可変する可変減衰器１６ａを有している。
１７は送信部タイミング生成回路であり、相手局からの受信信号のフレーム先頭タイミングを示す信号ＳＨに基づいて送信データ列ａ１、ａ２の生成タイミングを示す制御信号Ａや送信電力変更タイミングを示す制御信号Ｂを生成するもの、１８は送信電力の変更を制御信号Ｂのタイミングで行うラッチ回路で、送信電力制御部（図示せず）より指示された電力に応じた制御電圧ｂを制御信号Ｂのタイミングで発生して送信部１６ａに入力して送信電力を制御する。
【０００９】
・タイミング生成回路
図２７は従来のタイミング生成回路１７の構成図であり、受信信号フレームの先頭タイミングを示す信号ＳＨの発生時刻より時間ｔ１遅延したフレーム先頭パルスＦＨを発生する第１の遅延回路１７ａ、フレーム先頭パルスＦＨの発生時刻より更に時間ｔ２遅延したタイミングを送信電力制御タイミングとする制御信号Ｂを出力する第２の遅延回路１７ｂ、フレーム先頭パルスＦＨを入力され、パイロットビット数及びＴＰＣビット数に基づいて送信データ列ａ１、ａ２の生成タイミングを示す制御信号Ａを出力する第３の遅延回路１７ｃ、遅延時間ｔ１を設定する第１の遅延時間設定部１７ｄ、遅延時間ｔ２を設定する第２の遅延時間設定部１７ｅを有している。
【００１０】
・送信電力制御のタイムチャート
図２８は、従来の送信電力制御方式を示すタイミングチャートである。
受信信号ＳＲのフレームは、パイロットシンボルＰ、ＴＰＣビットＴ、データビットＤＴで構成され、フレーム先頭にパイロットシンボルが配置されている。パイロットシンボルＰは同期検波をするためのチャネル推定を行うビット列であり、ＴＰＣビットは送信電力の変更を指示する信号である。
受信フレーム先頭タイミング信号ＳＨの発生時刻より時間ｔ１遅延した時刻においてフレーム先頭パルスＦＨが発生し、該フレーム先頭パルスＦＨに基づいて制御信号Ａ（ア、イ、ウ）が発生し、又、フレーム先頭パルスＦＨより更に時間ｔ２遅延した時刻に送信電力制御タイミングを決定する制御信号Ｂが発生する。フレーム先頭パルスＦＨの発生時刻（すなわち、遅延時刻ｔ１）は、該発生時刻より所定時間遅延して発生する送信信号ＳＴと受信信号ＳＲのフレームの先頭が一致するように決定される。
又、制御信号Ｂの発生時刻、すなわち、遅延時間ｔ２は送信信号ＳＴのフレーム先頭に一致するように決定され、送信信号のフレーム先頭で送信電力制御が開始するようになっている。
【００１１】
・送信電力制御
送信電力制御に際して、送信電力制御部（図示せず）は相手局からの受信信号ＳＲのＴＰＣビットＴをチェックし、該ＴＰＣビットＴが送信電力増加を指示するものであれば制御電圧ａを設定量増加し、送信電力減小を指示するものであれば制御電圧ａを設定量減小し（図２８の▲１▼）、該制御電圧ａをラッチ回路１８（図２８）に入力する。
ラッチ回路１８はタイミング生成回路１７から出力する制御信号Ｂの立上りに同期して、すなわち、送信信号ＳＴのフレーム先頭で制御電圧ｂを変更し、可変減衰器１６ａの制御端子に入力する。これにより、送信部１６は送信信号の送信電力Ｐを変更する。
一方、送信信号ＳＴに乗せるＴＰＣビットを決定するＴＰＣビット生成部（図示せず）は、受信信号ＳＲの一部分あるいは全体を使って受信品質（Ｓ／Ｉ比）を測定し、ついで、測定した受信品質と基準値を比較し、受信品質が良ければ送信電力を下げるＴＰＣビットを作成して送信データ生成部１１に出力し、逆に、受信品質が悪ければ送信電力を上げるＴＰＣビットを作成して出力する。
【００１２】
送信データ生成部１１は、送信データの生成タイミング（制御信号Ａ）に基づいて、フレーム毎にパイロットシンボルＰ、ＴＰＣビットＴ、送信データＤＴを順に配列して、Ｉチャネルデータ列ａ１，Ｑチャネルデータ列ａ２をそれぞれ出力する。これらＩチャネルデータ列ａ１，Ｑチャネルデータ列ａ２は、以後、拡散演算処理、波形整形フィルタ処理、ＱＰＳＫ直交変調処理を施され、送信信号ＳＴとなって送信部１６に入力する。送信部１６は送信信号ＳＴに前述の送信電力制御を施して送信する。
【００１３】
【発明が解決しようとする課題】
送信電力制御には過渡現象があり、送信電力は瞬時に変化せずなだらかに変化する。この過渡現象は、
（１）  送信電力の変動を急峻にすると送信スペクトラムが広がるため、電力変動が急峻にならないようにしている、
（２）  可変減衰器１６ａの制御端子につける雑音除去用のコンデンサや浮遊容量等により送信電力の立ち上がりが急峻にならない、
などの理由による。
ところで、変調波形と無関係に送信電力の変更制御を行うと、変調波形に歪みを与える。従来の送信電力制御では過渡現象により送信電力がパイロットシンボル期間で変動するため、パイロットシンボルの位相回転やレベル変動が発生し、その品質を劣化し、同期検波の特性に悪影響を与え、データの識別精度を低下する。又、受信品質の測定が不正確になり、正しい送信電力制御ができない。
以上より本発明の目的は、送信電力変更時の過渡現象がデータ識別精度や受信品質に与える影響を少なくすることである。
【００１４】
【課題を解決するための手段】
上記課題は本発明によれば、（１）  誤り訂正のための符号化がなされている送信信号部分の期間で、あるいは、（２）  受信品質の測定を行わない送信信号部分の期間で、あるいは、（３）  送信データの識別判定を必要としない送信信号部分の期間で、送信電力制御（過渡現象を含む）を行うことにより達成される。この場合、送信電力の変更タイミングを、前記送信信号部分の期間内において、ランダムに切り替えたり、あるいは、規則的に切り替える。
（１）のように誤り訂正の符号化がなされている送信信号部分（送信データ部分）の期間で送信電力制御を行えば、パイロットシンボル（パイロットビット）やＴＰＣビットに位相回転やレベル変動が生じないようにできる。一方、送信データには送信電力制御による位相回転やレベル変動による誤りが生じるが、受信側の誤り訂正回路においてデータ誤りを訂正でき、送信電力制御がデータ識別精度や受信品質に与える影響を少なくできる。
【００１５】
（２）のように受信品質の測定を行わない送信信号部分の期間で送信電力制御を行えば、該部分は受信品質測定の行うことが定義されていない部分なので受信品質の劣化を生ずることがない。
（３）のように送信データの識別判定を必要としない送信信号部分（ダミービット部分）の期間で送信電力制御を行えば、パイロットシンボルやＴＰＣビットに位相回転やレベル変動が生じないようにできる。一方、ダミービットには送信電力制御による位相回転やレベル変動による誤りが生じるが、識別判定を必要としないため、データが誤ってもよいので、送信電力制御の影響をなくすることができる。
又、上記課題は本発明によれば、（１）  フレームの先頭を誤り訂正の符号化がなされている部分にし、あるいは、（２）  フレームの先頭を受信品質の測定を行わない部分にし、送信電力の変更をフレームの先頭で行うことにより達成される。このようにしても、パイロットシンボルやＴＰＣビットに位相回転やレベル変動が生じないようにできる。一方、送信データには送信電力制御による位相回転やレベル変動による誤りが生じるが、受信側の誤り訂正回路においてデータ誤りを訂正できるので、送信電力制御の影響を少なくすることができる。
【００１６】
又、上記課題は本発明によれば、送信電力の変更を波形整形フィルタの前段で行うことにより達成される。波形整形フィルタ（ＦＩＲフィルタ）の出力は、入力インパルス列の各インパルスに対する応答（インパルス応答）を合成したものである。このフィルタに入力するインパルスの大きさをフレーム先頭より送信電力制御量分大きく、あるいは、小さくすれば、フィルタ出力信号に位相回転やレベル変動が生じないようにでき、送信電力制御によるデータ識別精度や受信品質の劣化を防止できる。
【００１７】
【発明の実施の形態】
（Ａ）第１実施例
（ａ）概略
図１は本発明の第１実施例の概略説明図であり、ＳＴは送信信号である。送信信号のフレームは、パイロットシンボルＰ、ＴＰＣビットＴ、データＤＴで構成され、フレーム先頭にパイロットシンボルが配置されている。データＤＴには誤り訂正のための符号化処理が施されており、パイロットシンボルＰ及びＴＰＣビットＴには誤り訂正のための符号化処理が施されていない。第１実施例では、誤り訂正のための符号化処理が施されている信号部分の期間（データＤＴの期間）Ｔにおいて、過渡現象を含めて送信電力制御を行う。このようにすれば、パイロットシンボルやＴＰＣビットに位相回転やレベル変動が生じないようにできる。一方、送信データには送信電力制御による位相回転やレベル変動による誤りが生じるが、受信側の誤り訂正回路においてデータ誤りを訂正でき、送信側における送信電力制御が受信側におけるデータ識別精度や受信品質に与える影響を少なくできる。
【００１８】
（ｂ）送信電力制御構成
図２は本発明の送信電力制御に関係する部分に着目したＣＤＭＡ局の全体図であり、１１〜１７の構成は図２６に示す従来の要部構成と同じである。
図中、１１は送信データ生成部であり、パイロットビット（パイロットシンボル）、ＴＰＣビット、送信データビットより物理チャネルのフォーマットに従って２系列の送信データ列ａ１，ａ２を生成する。送信データは、１ビットづつ交互に振り分けられて同相成分（Ｉ成分：Ｉｎ−Ｐｈａｓｅ  ｃｏｍｐｏｒｎｅｎｔ）と直交成分（Ｑ成分：Ｑｕａｄｒａｔｕｒｅ  ｃｏｍｐｏｒｎｅｎｔ）の２系列になって送信データ生成部１１に入力し、送信データ生成部１１はそれぞれにパイロットビット、ＴＰＣビットを付加して２系列（Ｉ、Ｑチャネル）の送信データ列ａ１、ａ２を出力する。
【００１９】
１２は２系列の送信データ列ａ１、ａ２の各々を所定の拡散符号を用いて拡散する拡散部、１３はＩ、Ｑチャネルのそれぞれに波形整形処理を施すＦＩＲフィルタ構成の波形整形フィルタ、１４は各フィルタ出力をＤＡ変換するＤＡコンバータ、１５はＩ，Ｑ系列の拡散信号を直交変調する直交変調部、１６は直交変調された信号を所定の送信周波数までアップコンバージョンし、所定の送信電力で送信する送信部（Ｔｘ）であり、送信電力制御用の可変減衰器１６ａを有している。１７は送信部タイミング生成回路で、相手局からの受信信号のフレーム先頭タイミングを示す信号ＳＨに基づいて送信データ列ａ１、ａ２の生成タイミングを示す制御信号Ａと送信電力変更タイミングを示す制御信号Ｂを生成する。１８は送信電力の変更を制御信号Ｂのタイミングで行うラッチ回路で、送信電力制御部２５（後述）より指示された電力に応じた制御電圧ａを制御信号Ｂのタイミングで制御電圧ｂとして発生して送信部の可変減衰器１６ａの制御端子に入力して送信電力を制御する。
【００２０】
２１は送信信号を相手局へ送信すると共に、相手局よりの信号を受信するアンテナ，２２は受信信号をＩＦ周波数に変換し、直交復調、逆拡散、検波等の処理に適した電力に減衰する受信部（Ｒｘ）、２３はＩＦ信号を復調してベースバンドのＩ，Ｑ信号に復調する直交復調部、２４はＩ，Ｑ信号に逆拡散処理を施す逆拡散部、２５は同期検波により復調した復調ビット（データビット）やＴＣＰビットを出力する検波部である。逆拡散部２４は図２４のＡＤコンバータ４、逆拡散回路５、相関器７、タイミング決定部８に対応するものである。
２６は送信電力制御部であり、初期時には初期送信電力値を基に初期電力の制御電圧ａを出力し、また、使用時には検波部２５から入力するＴＣＰビットが指示する送信電力に応じた制御電圧ａを出力する。２７はＴＰＣビット生成部で、検波部２５から出力する復調ビットの受信品質（例えばＳ／Ｉ比）を測定し、受信品質に基づいて送信するＴＰＣビットを生成する。
２８は受信信号のフレームの先頭を検出する受信タイミング検出部、２９は基準タイミング生成部であり、受信タイミング検出部で検出したフレームの先頭タイミングを平均して、受信信号に同期した基準信号（受信フレーム先頭タイミング信号ＳＨ）を発生し、送信部タイミング生成回路１７に入力する。
【００２１】
図３は第１実施例のタイミング生成回路１７の構成図であり、３１１は受信信号フレームの先頭タイミングを示す信号ＳＨの発生時刻より時間ｔ１遅延したフレーム先頭パルスＦＨを発生する第１の遅延回路、３１２は信号ＳＨの発生時刻より時間ｔ３遅延したタイミングを送信電力制御タイミングとする制御信号Ｂを出力する第２の遅延回路、３１３はフレーム先頭パルスＦＨを入力され、パイロットビット数及びＴＰＣビット数に基づいて送信データ列ａ１、ａ２の生成タイミングを示す制御信号Ａを出力する第３の遅延回路、３１４は遅延時間ｔ１を設定する第１の遅延時間設定部、３１５は遅延時間ｔ３を設定する第２の遅延時間設定部である。
【００２２】
（ｃ）送信電力制御のタイムチャート
図４は、第１実施例の送信電力制御方法を示すタイミングチャートである。
受信信号ＳＲのフレームは、パイロットシンボルＰ、ＴＰＣビットＴ、データＤＴで構成され、フレーム先頭にパイロットシンボルが配置されている。データＤＴには誤り訂正のための符号化処理が施されており、パイロットシンボルＰ及びＴＰＣビットＴには誤り訂正のための符号化処理が施されていない。
受信フレーム先頭タイミング信号ＳＨの発生時刻より時間ｔ１遅延した時刻においてフレーム先頭パルスＦＨが発生し、該フレーム先頭パルスＦＨに基づいて制御信号Ａ（ア、イ、ウ）が発生する。又、受信フレーム先頭タイミング信号ＳＨの発生時刻より時間ｔ３遅延した時刻に送信電力制御タイミングを決定する制御信号Ｂが発生する。フレーム先頭パルスＦＨの発生時刻（遅延時刻ｔ１）は、該発生時刻より所定時間遅延して発生する送信信号ＳＴと受信信号ＳＲのフレームの先頭が一致するように決定される。又、制御信号Ｂの発生時刻（遅延時間ｔ３）は、送信信号ＳＴのフレーム先頭より時間Ｔａ前に発生するように決定する。ただし、時間Ｔａは送信電力制御（過渡現象を含む）に要する時間より大きな時間である。
制御信号Ｂ、制御電圧ｂ及び送信波電力Ｐにおける太線は本発明により送信電力制御を行う場合、細線は従来例により送信電力制御を行う場合である。
【００２３】
（ｄ）送信電力制御
送信電力制御に際して、送信電力制御部２６は受信信号ＳＲのＴＰＣビットＴをチェックし、該ＴＰＣビットＴが送信電力増加を指示するものであれば制御電圧ａを設定量増加し、送信電力減小を指示するものであれば制御電圧ａを設定量減小し（図４の▲１▼）、該制御電圧ａをラッチ回路１８に入力する。
ラッチ回路１８はタイミング生成回路１７から出力する制御信号Ｂの立上りに同期して、すなわち、送信信号ＳＴのフレームより時間Ｔａ前に制御電圧ｂを変更し、送信部１６の可変減衰器１６ａの制御端子に入力する。これにより、送信部１６は送信信号の送信電力Ｐを変更する。
一方、送信信号ＳＴに乗せるＴＰＣビットを決定するＴＰＣビット生成部２７は、受信信号ＳＲの一部分あるいは全体を使って受信品質（Ｓ／Ｉ比）を測定し、ついで、測定した受信品質と基準値を比較し、受信品質が良ければ送信電力を下げるＴＰＣビットを作成して送信データ生成部１１に出力し、逆に、受信品質が悪ければ送信電力を上げるＴＰＣビットを作成して出力する。
【００２４】
送信データ生成部１１は、送信データの生成タイミング（制御信号Ａ）に基づいて、フレーム毎にパイロットシンボルＰ、ＴＰＣビットＴ、送信データＤＴを順に配列して、Ｉチャネルデータ列ａ１，Ｑチャネルデータ列ａ２をそれぞれ出力する。これらＩチャネルデータ列ａ１，Ｑチャネルデータ列ａ２は、以後、拡散演算処理、波形整形フィルタ処理、ＱＰＳＫ直交変調処理を施され、送信信号ＳＴとなって送信部１６に入力する。送信部１６は送信信号ＳＴに前述の送信電力制御を施して送信する。
以上のように第１実施例では、送信信号ＳＴのフレーム先頭より時間Ｔａ前から送信電力制御を行うため、送信電力制御（過渡現象を含む）を送信信号ＳＴのフレーム先頭時刻前に終了できる。この結果、誤り訂正のための符号化処理が施されていない信号部分（パイロットシンボルやＴＰＣビット）に位相回転やレベル変動が生じないようにできる。一方、誤り訂正のための符号化処理が施されている信号部分（データビット）には送信電力制御による位相回転やレベル変動による誤りが生じるが、受信側の誤り訂正回路においてデータ誤りを訂正でき、送信側における送信電力制御が受信側におけるデータ識別精度や受信品質に与える影響を少なくできる。
【００２５】
（ｅ）第１実施例の別の構成
図５はタイミング生成回路１７（図２）の別の構成図であり、  ３２１は受信信号フレームの先頭タイミングを示す信号ＳＨの発生時刻より時間ｔ１遅延したフレーム先頭パルスＦＨを発生する第１の遅延回路、３２２はフレーム先頭パルスＦＨの発生時刻より更に時間ｔ４遅延したタイミングを送信電力制御タイミングとする制御信号Ｂを出力する第２の遅延回路、３２３はフレーム先頭パルスＦＨを入力され、パイロットビット数及びＴＰＣビット数に基づいて送信データ列ａ１、ａ２の生成タイミングを示す制御信号Ａを出力する第３の遅延回路、３２４は遅延時間ｔ１を設定する第１の遅延時間設定部、３２５は遅延時間ｔ４を設定する第２の遅延時間設定部である。
【００２６】
図６は図５のタイミング生成回路１７より発生する制御信号Ａ、制御信号Ｂを用いて送信電力制御する場合のタイミングチャートである。
受信信号ＳＲのフレームは、パイロットシンボルＰ、ＴＰＣビットＴ、データＤＴで構成され、フレーム先頭にパイロットシンボルが配置されている。データＤＴには誤り訂正のための符号化処理が施されており、パイロットシンボルＰ及びＴＰＣビットＴには誤り訂正のための符号化処理が施されていない。
受信フレーム先頭タイミング信号ＳＨの発生時刻より時間ｔ１遅延した時刻においてフレーム先頭パルスＦＨが発生し、該フレーム先頭パルスＦＨに基づいて制御信号Ａが発生する。又、フレーム先頭パルスＦＨの発生時刻より更に時間  ｔ４遅延した時刻に送信電力制御タイミングを決定する制御信号Ｂが発生する。フレーム先頭パルスＦＨの発生時刻（遅延時刻ｔ１）は、該発生時刻より所定時間遅延して発生する送信信号ＳＴと受信信号ＳＲのフレームの先頭が一致するように決定される。又、制御信号Ｂの発生時刻（遅延時間ｔ４）は、送信信号ＳＴのデータＤＴの先頭で、あるいは、それ以降で発生するように決定される。
【００２７】
制御信号Ｂ、制御電圧ｂ及び送信波電力Ｐにおける太線は本発明により送信電力制御を行う場合であり、細線は従来例により送信電力制御を行う場合である。送信電力制御に際して、送信電力制御部２６（図２）は受信信号ＳＲのＴＰＣビットＴをチェックし、該ＴＰＣビットＴが送信電力増加を指示するものであれば制御電圧ａを設定量増加し、送信電力減小を指示するものであれば制御電圧ａを設定量減小し（図６の▲１▼）、該制御電圧ａをラッチ回路１８に入力する。
ラッチ回路１８はタイミング生成回路１７から出力する制御信号Ｂの立上りに同期して、すなわち、送信信号ＳＴのデータＤＴの先頭で制御電圧ｂを変更し、送信部１６の可変減衰器１６ａの制御端子に入力する。これにより、送信部１６は送信信号のデータＤＴの期間で送信電力Ｐを変更する。
【００２８】
以上のように、送信信号ＳＴのデータＤＴの先頭より送信電力制御を行うため、送信電力制御（過渡現象を含む）を送信信号ＳＴのデータ期間内に行うことができる。この結果、誤り訂正のための符号化処理が施されていない信号部分（パイロットシンボルやＴＰＣビット）に位相回転やレベル変動が生じないようにできる。一方、誤り訂正のための符号化処理が施されている信号部分（データビット）には送信電力制御による位相回転やレベル変動による誤りが生じるが、受信側の誤り訂正回路においてデータ誤りを訂正でき、送信側における送信電力制御が受信側におけるデータ識別精度や受信品質に与える影響を少なくできる。
【００２９】
（ｆ）第１変形例
以上では、誤り訂正のための符号化処理が施されている信号部分の期間（データ期間）において、過渡現象を含めて送信電力制御を行う場合であるが以下のようにすることもできる。すなわち、送信信号が受信品質を測定する信号部分と、受信品質の測定を行わない信号部分を有する場合、送信電力制御を受信品質の測定を行わない信号部分の期間で行う。例えば、データＤＴの末尾Ｔａの信号部分（図４参照）で受信品質を測定せず、その他の信号部分で受信品質の測定を行うとすれば、図４に示すタイミングと同一のタイミングで送信電力の制御を行う。又、データＤＴの先頭の信号部分で受信品質を測定せず、その他の信号部分で受信品質の測定を行うとすれば、図６に示すタイミングと同一のタイミングで送信電力の制御を行うことができる。
以上のようにすれば、パイロットシンボルやＴＰＣビットに位相回転やレベル変動が生じないようにできる。又、送信データには位相回転やレベル変動による誤りが生じるが、受信側の誤り訂正回路においてデータ誤りを訂正でき、送信側における送信電力制御が受信側におけるデータ識別精度や受信品質に与える影響を少なくできる。又、受信品質の測定を行わない送信信号部分の期間で送信電力制御を行うから、受信品質測定精度に影響を与えることもない。
【００３０】
（ｇ）第２変形例
第１実施例では、誤り訂正のための符号化処理が施されているデータＤＴの末尾または先頭部で送信電力制御を行った場合であるが、データＤＴの先頭から末尾までの期間内の任意の位置で送信電力制御を行うことができる。
図７はかかる送信電力制御を行う第２変形例のタイミング生成回路１７（図２）の構成図であり、３３１は受信フレーム先頭タイミング信号ＳＨの発生時刻より時間ｔ１遅延したフレーム先頭パルスＦＨを発生する第１の遅延回路、３３２は受信フレーム先頭タイミング信号ＳＨの発生時刻より任意の時間ｔ５６遅延した時刻を送信電力制御タイミングとする制御信号Ｂを出力する第２の遅延回路、３３３はフレーム先頭パルスＦＨを入力され、パイロットビット数及びＴＰＣビット数に基づいて送信データ列ａ１、ａ２の生成タイミングを示す制御信号Ａを出力する第３の遅延回路、３３４は遅延時間ｔ１を設定する第１の遅延時間設定部、３３５は時間ｔ５〜ｔ６の範囲内の任意の遅延時間ｔ５６を設定する乱数発生器で構成された第２の遅延時間設定部である。
【００３１】
図８は図７のタイミング生成回路１７より発生する制御信号Ａ、制御信号Ｂを用いて送信電力制御する場合のタイミングチャートである。
受信信号ＳＲのフレームは、パイロットシンボルＰ、ＴＰＣビットＴ、データＤＴで構成され、フレーム先頭にパイロットシンボルＰが配置されている。データＤＴには誤り訂正のための符号化処理が施されており、パイロットシンボルＰ及びＴＰＣビットＴには誤り訂正のための符号化処理が施されていない。
受信フレーム先頭タイミング信号ＳＨの発生時刻より時間ｔ１遅延した時刻においてフレーム先頭パルスＦＨが発生し、該フレーム先頭パルスＦＨに基づいて制御信号Ａ（ア、イ、ウ）が発生する。又、受信フレーム先頭タイミング信号ＳＨの発生時刻より任意の時間ｔ５６（ｔ５≦ｔ５６≦ｔ６）遅延した時刻に送信電力制御タイミングを決定する制御信号Ｂが発生する。ｔ５はデータ先頭までの時間、ｔ６はデータＤＴの末尾より送信電力制御に要する時間Ｔａだけ前の位置までの時間である。
【００３２】
フレーム先頭パルスＦＨの発生時刻（遅延時刻ｔ１）は、該発生時刻より所定時間遅延して発生する送信信号ＳＴと受信信号ＳＲのフレームの先頭が一致するように決定される。又、制御信号Ｂの発生時刻（遅延時間ｔ５６）はｔ５≦ｔ５６≦ｔ６を満足するように任意に決定される。
制御信号Ｂ、制御電圧ｂ及び送信波電力Ｐにおける太線は本発明により送信電力制御を行う場合であり、細線は従来例により送信電力制御を行う場合である。送信電力制御に際して、送信電力制御部２６（図２）は受信信号ＳＲのＴＰＣビットＴをチェックし、該ＴＰＣビットＴが送信電力増加を指示するものであれば制御電圧ａを設定量増加し、送信電力減小を指示するものであれば制御電圧ａを設定量減小し（図８の▲１▼）、該制御電圧ａをラッチ回路１８に入力する。
ラッチ回路１８はタイミング生成回路１７から出力する制御信号Ｂの立上りによりデータＤＴの期間の任意の位置において制御電圧ｂを変更し、送信部１６の可変減衰器１６ａの制御端子に入力する。これにより、送信部１６は送信信号のデータＤＴの任意の位置で送信電力Ｐを変更する。
【００３３】
すなわち、第２変形例は、受信信号ＴＰＣビットによる制御電圧ａの変更を誤り訂正の符号化がなされていない部分（受信品質の測定を行う部分）で行い、受信フレーム先頭タイミング信号ＳＨからの制御信号Ｂの遅延時間をランダムにすることで、電力変更を始めるタイミングをランダム化したものである。制御電圧ｂの時定数、送信波出力の過渡現象の時間をデータ部ＤＴの期間より十分小さくすれば、データ部の誤り訂正の符号化された部分で、電力変更を行うことができる。
以上のように、送信信号ＳＴのデータＤＴの期間内の任意の位置において送信電力制御を行うため、誤り訂正のための符号化処理が施されていない信号部分（パイロットシンボルやＴＰＣビット）に位相回転やレベル変動が生じないようにできる。一方、誤り訂正のための符号化処理が施されている信号部分（データビット）には送信電力制御による位相回転やレベル変動による誤りが生じるが、受信側の誤り訂正回路においてデータ誤りを訂正でき、送信側における送信電力制御が受信側におけるデータ識別精度や受信品質に与える影響を少なくできる。又、送信電力制御により復調データに誤りが生じやすくなる位置がランダムに分散するため、誤り訂正率が向上する。
尚、第２変形例は第１変形例にも応用できる。すなわち、受信品質を測定しない信号部分の期間の任意の位置で送信電力制御を行うように構成することができる。
【００３４】
（ｈ）第３変形例
第１実施例では、誤り訂正のための符号化処理が施されているデータＤＴの末尾または先頭部で送信電力制御を行った場合であるが、データＤＴの先頭から末尾までの期間内に送信電力制御開始可能時刻を複数設け、規則的に送信電力制御開始時刻を切り替えるようにすることができる。
図９はかかる送信電力制御を行う第３変形例のタイミング生成回路１７（図２）の構成図であり、３４１は受信フレーム先頭タイミング信号ＳＨの発生時刻より時間ｔ１遅延した時刻でフレーム先頭パルスＦＨを発生する第１の遅延回路、３４２は受信フレーム先頭タイミング信号ＳＨの発生時刻より順次時間ｔ７１，ｔ７２，・・，ｔ７ｎ遅延した時刻を送信電力制御タイミングとする制御信号Ｂを出力する第２の遅延回路、３４３はフレーム先頭パルスＦＨを入力され、パイロットビット数及びＴＰＣビット数に基づいて送信データ列ａ１、ａ２の生成タイミングを示す制御信号Ａを出力する第３の遅延回路、３４４は遅延時間ｔ１を設定する第１の遅延時間設定部、３４５は遅延時間ｔ７１，ｔ７２，・・，ｔ７ｎをフレーム毎に規則的に設定する第２の遅延時間設定部である。
【００３５】
図１０は図９のタイミング生成回路１７より発生する制御信号Ａ、制御信号Ｂを用いて送信電力制御する場合のタイミングチャートである。
受信信号ＳＲのフレームは、パイロットシンボルＰ、ＴＰＣビットＴ、データＤＴで構成され、フレーム先頭にパイロットシンボルＰが配置されている。データＤＴには誤り訂正のための符号化処理が施されており、パイロットシンボルＰ及びＴＰＣビットＴには誤り訂正のための符号化処理が施されていない。
受信フレーム先頭タイミング信号ＳＨの発生時刻より時間ｔ１遅延した時刻においてフレーム先頭パルスＦＨが発生し、該フレーム先頭パルスＦＨに基づいて制御信号Ａが発生する。又、フレーム毎に規則的に、受信フレーム先頭タイミング信号ＳＨの発生時刻より順次時間ｔ７１，ｔ７２，ｔ７３，・・・ｔ７ｎ遅延した時刻に制御信号Ｂが発生する。図の例では、フレーム毎にＡ→Ｂ→Ｃ→Ｄ→Ｅ→Ａ・・・の時刻で制御信号Ｂが発生する。
【００３６】
フレーム先頭パルスＦＨの発生時刻（遅延時刻ｔ１）は、該発生時刻より所定時間遅延して発生する送信信号ＳＴと受信信号ＳＲのフレームの先頭が一致するように決定される。又、時間ｔ７ｉは信号ＳＨの発生時刻より該時間遅延した時刻がデータＤＴの期間内に入るように設定されている。
制御信号Ｂ、制御電圧ｂ及び送信波電力Ｐにおける太線は本発明により送信電力制御を行う場合であり、細線は従来例により送信電力制御を行う場合である。送信電力制御に際して、送信電力制御部２６（図２）は受信信号ＳＲのＴＰＣビットＴをチェックし、該ＴＰＣビットＴが送信電力増加を指示するものであれば制御電圧ａを設定量増加し、送信電力減小を指示するものであれば制御電圧ａを設定量減小し（図８の▲１▼）、該制御電圧ａをラッチ回路１８に入力する。
【００３７】
ラッチ回路１８はタイミング生成回路１７から出力する制御信号Ｂの立上りによりデータＤＴの期間内Ａの位置において制御電圧ｂを変更し、送信部１６の可変減衰器１６ａの制御端子に入力する。次のフレームではデータＤＴの期間内Ｂの位置において制御電圧ｂを変更し、更に次のフレームではデータＤＴの期間内Ｃの位置において制御電圧ｂを変更し、以後同様に制御電圧ｂの変更時刻をデータ期間内において切り替えて可変減衰器１６ａの制御端子に入力する。これにより、送信部１６は順次規則的な時刻Ａ→Ｂ→Ｃ→Ｄ→Ｅ→Ａ・・・において送信電力Ｐを変更する。
【００３８】
すなわち、第３変形例は、受信ＴＰＣビットによる制御電圧ａの変更を誤り訂正の符号化がなされている部分で行い、受信フレーム先頭タイミングＳＨからの制御信号Ｂの遅延時間を規則的にずらすことで、送信電力制御を始めるタイミングを規則的にずらしたものである。図１０では、Ａ，Ｂ，Ｃ，Ｄ，ＥのタイミングでＡ，Ｂ，Ｃ，Ｄ，Ｅの順に送信電力の変更をする。制御電圧ｂの時定数、送信波出力の過渡現象の時間をデータＤＴの期間より十分小さくすれば、データ部の誤り訂正の符号化された部分で、電力変更を行うことができる。
以上のように、送信信号ＳＴのデータＤＴの期間内の規則的に変化する位置で送信電力制御を行うため、誤り訂正のための符号化処理が施されていない信号部分（パイロットシンボルやＴＰＣビット）に位相回転やレベル変動が生じないようにできる。一方、誤り訂正のための符号化処理が施されている信号部分（データビット）には送信電力制御による位相回転やレベル変動による誤りが生じるが、受信側の誤り訂正回路においてデータ誤りを訂正でき、送信側における送信電力制御が受信側におけるデータ識別精度や受信品質に与える影響を少なくできる。又、送信電力制御により復調データに誤りが生じやすくなる位置を分散するため誤り訂正率が向上する。
尚、第３変形例は第１変形例にも応用できる。すなわち、受信品質を測定しない信号部分の期間内で規則的に送信電力制御する位置を替えるように構成することができる。
【００３９】
（ｉ）第４変形例
第２変形例は、データＤＴの先頭から末尾までのデータ期間内の任意の位置で送信電力制御を行うようにしたものであるが、データ期間内に送信電力の変更タイミング切り替え範囲を特定し、該範囲内で送信電力の変更タイミングを切り替えるようにすることもできる。このようにすれば、第２変形例の効果に加えて、電力変更時刻が設定範囲に収まっているので、受信側において該範囲外の信号部分を用いて受信品質を測定することで測定精度を向上できるという効果が期待できる。
図１１は第４変形例のタイミング生成回路１７（図２）の構成図であり、３５１は受信フレーム先頭タイミング信号ＳＨの発生時刻より時間ｔ１遅延したフレーム先頭パルスＦＨを発生する第１の遅延回路、３５２は受信フレーム先頭タイミング信号ＳＨの発生時刻より任意の時間ｔ８９遅延した時刻を送信電力制御タイミングとする制御信号Ｂを出力する第２の遅延回路、３５３はフレーム先頭パルスＦＨを入力され、パイロットビット数及びＴＰＣビット数に基づいて送信データ列ａ１、ａ２の生成タイミングを示す制御信号Ａを出力する第３の遅延回路、３５４は遅延時間ｔ１を設定する第１の遅延時間設定部、３５５は所定時間範囲内の任意の遅延時間ｔ８９を設定する第２の遅延時間設定部である。
【００４０】
図１２は図１１のタイミング生成回路１７より発生する制御信号Ａ、制御信号Ｂを用いて送信電力制御する場合のタイミングチャートである。
受信信号ＳＲのフレームは、パイロットシンボルＰ、ＴＰＣビットＴ、データＤＴで構成され、フレーム先頭にパイロットシンボルが配置されている。データＤＴには誤り訂正のための符号化処理が施されており、パイロットシンボルＰ及びＴＰＣビットＴには誤り訂正のための符号化処理が施されていない。
受信フレーム先頭タイミング信号ＳＨの発生時刻より時間ｔ１遅延した時刻においてフレーム先頭パルスＦＨが発生し、該フレーム先頭パルスＦＨに基づいて制御信号Ａが発生する。又、受信フレーム先頭タイミング信号ＳＨの発生時刻より任意の時間ｔ８９（ｔ８≦ｔ８９≦ｔ９）遅延した時刻に送信電力制御タイミングを決定する制御信号Ｂが発生する。ｔ８，ｔ９は、データ先頭までの時間をｔ５、データＤＴの末尾より送信電力制御に要する時間Ｔａだけ前の位置までの時間をｔ６とすれば、以下
ｔ５≦ｔ８，ｔ９≦ｔ６
を満足する時間であり、ｔ８〜ｔ９はデータ期間内（ｔ５〜ｔ６）の期間である。
【００４１】
フレーム先頭パルスＦＨの発生時刻（遅延時刻ｔ１）は、該発生時刻より所定時間遅延して発生する送信信号ＳＴと受信信号ＳＲのフレームの先頭が一致するように決定される。又、制御信号Ｂの発生時刻（遅延時間ｔ８９）はｔ８≦ｔ８９≦ｔ９を満足するように決定される。
制御信号Ｂにおける太線の矩形範囲はｔ８≦ｔ８９≦ｔ９を満足する期間である。又、制御信号Ｂ、制御電圧ｂ及び送信波電力Ｐの太線は本発明により送信電力制御を行う場合であり、細線は従来例により送信電力制御を行う場合である。
【００４２】
送信電力制御に際して、送信電力制御部２６（図２）は受信信号ＳＲのＴＰＣビットＴをチェックし、該ＴＰＣビットＴが送信電力増加を指示するものであれば制御電圧ａを設定量増加し、送信電力減小を指示するものであれば制御電圧ａを設定量減小し（図１２の▲１▼）、該制御電圧ａをラッチ回路１８に入力する。
ラッチ回路１８はタイミング生成回路１７から出力する制御信号Ｂの立上りにより設定範囲（ｔ８〜ｔ９）内の任意の位置において制御電圧ｂを変更し、送信部１６の可変減衰器１６ａの制御端子に入力する。これにより、送信部１６は送信信号のデータＤＴの任意の期間で送信電力Ｐを変更する。
すなわち、第４変形例は、受信信号のＴＰＣビットによる制御電圧ａの変更を太線で囲った設定範囲（ｔ８〜ｔ９）外のタイミングで行い、受信フレーム先頭タイミング信号ＳＨからの制御信号Ｂの遅延時間ｔ８９を設定範囲内でランダムに、あるいは、規則的にずらすことで、電力制御を始めるタイミングをランダム化、あるいは、規則的にずらす。制御電圧ｂの時定数、送信波電力の過渡現象の時間をデータ期間より十分小さくすれば、設定範囲内の誤り訂正符号部分で電力制御を行うことができる。
尚、第４変形例は第１変形例にも応用できる。すなわち、受信品質を測定しない信号部分の期間内に送信電力の変更タイミング切り替え範囲を設定し、該範囲内で送信電力の変更タイミングを切り替えるようにすることもできる。
【００４３】
（Ｂ）第２実施例
（ａ）概略
図１３は本発明の第２実施例の概略説明図であり、ＳＴ′は従来の送信信号のフレームフォーマット、ＳＴは第２実施例の送信信号フレームフォーマットである。従来の送信信号ＳＴ′のフレームは、パイロットシンボルＰ、ＴＰＣビットＴ、データＤＴで構成され、フレーム先頭にパイロットシンボルＰが配置されている。データＤＴには誤り訂正のための符号化処理が施されており、パイロットシンボルＰ及びＴＰＣビットＴには誤り訂正のための符号化処理が施されていない。第２実施例では、送信信号ＳＴのフレーム先頭を誤り訂正のための符号化がなされている信号部分（データ部分ＤＴ）にし、パイロットシンボルＰ及びＴＰＣビットをフレーム先頭からずらす。例えば、フレーム先頭にデータＤＴを配置し、データＤＴの後にパイロットシンボルＰ、ＴＰＣビットＴを配置する。そして、送信電力制御をフレーム先頭の誤り訂正のための符号化処理が施された信号部分（データ部分ＤＴの期間）で行う。
【００４４】
このようにすれば、パイロットシンボルやＴＰＣビットに位相回転やレベル変動が生じないようにできる。一方、送信データには送信電力制御による位相回転やレベル変動による誤りが生じるが、受信側の誤り訂正回路においてデータ誤りを訂正でき、送信側における送信電力制御が受信側におけるデータ識別精度や受信品質に与える影響を少なくできる。
なお、フレームの先頭を受信品質の測定を行わない部分にし、送信電力制御をフレームの先頭で行うように構成することもできる。
【００４５】
（ｂ）送信電力制御構成
第２実施例のＣＤＭＡ局の構成は図２の第１実施例と同じである。
図１４は第２実施例のタイミング生成回路１７（図２）の構成図であり、３６１は受信信号フレームの先頭タイミングを示す信号ＳＨの発生時刻より時間ｔ１遅延した時刻でフレーム先頭パルスＦＨを発生する第１の遅延回路、３６２はフレーム先頭パルスＦＨの発生時刻より更に時間ｔ２遅延した時刻を送信電力制御開始時刻とする制御信号Ｂを出力する第２の遅延回路、３６３はフレーム先頭パルスＦＨを入力され、データビット数及びパイロットビット数、ＴＰＣビット数に基づいて送信データ列ａ１、ａ２（図２）の生成タイミングを示す制御信号Ａを出力する第３の遅延回路、３６４は遅延時間ｔ１を設定する第１の遅延時間設定部、３６５は遅延時間ｔ２を設定する第２の遅延時間設定部である。
【００４６】
（ｃ）送信電力制御のタイムチャート
図１５は図１４のタイミング生成回路１７より発生する制御信号Ａ、制御信号Ｂを用いて送信電力制御する場合のタイムチャートである。
受信信号ＳＲのフレームは、送信データＤＴ、パイロットシンボルＰ、ＴＰＣビットＴで構成され、フレーム先頭にデータＤＴが配置されている。データＤＴには誤り訂正のための符号化処理が施されており、パイロットシンボルＰ及びＴＰＣビットＴには誤り訂正のための符号化処理が施されていない。
受信フレーム先頭タイミング信号ＳＨの発生時刻より時間ｔ１遅延した時刻においてフレーム先頭パルスＦＨが発生し、該フレーム先頭パルスＦＨに基づいて制御信号Ａ（ア、イ、ウ）が発生し、又、フレーム先頭パルスＦＨより更に時間ｔ２遅延した時刻に送信電力制御タイミングを決定する制御信号Ｂが発生する。フレーム先頭パルスＦＨの発生時刻（すなわち、遅延時刻ｔ１）は、該発生時刻より所定時間遅延して発生する送信信号ＳＴと受信信号ＳＲのフレームの先頭が一致するように決定される。
又、制御信号Ｂの発生時刻、すなわち、遅延時間ｔ２は送信信号ＳＴのフレーム先頭に一致するように決定され、送信信号のフレーム先頭で送信電力制御が開始するようになっている。
【００４７】
（ｄ）送信電力制御
送信電力制御に際して、送信電力制御部２６（図２）は受信信号ＳＲのＴＰＣビットＴをチェックし、該ＴＰＣビットＴが送信電力増加を指示するものであれば制御電圧ａを設定量増加し、送信電力減小を指示するものであれば制御電圧ａを設定量減小し（図１５の▲１▼）、該制御電圧ａをラッチ回路１８に入力する。
ラッチ回路１８はタイミング生成回路１７から出力する制御信号Ｂの立上りに同期して、すなわち、送信信号ＳＴのフレーム先頭で制御電圧ｂを変更し、可変減衰器１６ａの制御端子に入力する。これにより、送信部１６は送信信号の送信電力Ｐを変更する。
以上のように、第２実施例ではパイロットシンボルＰ、ＴＰＣシンボルＴをフレームの後尾に配置するフレームフォーマットとしたから、制御電圧ｂの時定数、送信波出力の過渡現象の時間をデータ期間より十分小さくすれば、送信波の電力制御の変更をフレームの先頭で行っても、確実に誤り訂正の符号化がなされた部分（受信品質の測定を行わない部分）で、送信電力制御を行うことができ、パイロット部分での位相回転やレベル変動による劣化を防ぐことができる。
【００４８】
（Ｃ）第３実施例
（ａ）概略
図１６は本発明の第３実施例の概略説明図であり、ＳＴは第３実施例の送信信号フレームフォーマットである。フレームは、パイロットシンボルＰ、ＴＰＣビットＴ、データＤＴ、ダミービットＤで構成され、フレーム先頭にパイロットシンボルＰが配置され、その後に順次ＴＰＣビットＴ、送信データＤＴ、ダミービットＤの順で配置されている。
第１、第２実施例では、誤り訂正のための符号化がなされた信号部分の期間において、あるいは、受信品質測定を行わない信号部分の期間において、送信電力制御を行う。第３実施例は、フレームに送信データの識別（判定）を必要としない信号部分（ダミービットＤ）が存在する場合には、送信電力制御を該送信データの識別を必要としない信号部分（ダミービットＤ）の期間で行う。
【００４９】
（ｂ）送信電力制御構成
第３実施例のＣＤＭＡ局の構成は図２の第１実施例と同じである。
図１７は第３実施例のタイミング生成回路１７（図２）の構成図であり、３７１は受信フレーム先頭タイミング信号ＳＨの発生時刻より時間ｔ１遅延したフレーム先頭パルスＦＨを発生する第１の遅延回路、３７２は受信フレーム先頭タイミング信号ＳＨの発生時刻より任意の時間ｔ１０遅延した時刻を送信電力制御タイミングとする制御信号Ｂを出力する第２の遅延回路、３７３はフレーム先頭パルスＦＨを入力され、パイロットビット数及びＴＰＣビット数に基づいて送信データ列ａ１、ａ２の生成タイミングを示す制御信号Ａを出力する第３の遅延回路、３７４は遅延時間ｔ１を設定する第１の遅延時間設定部、３７５は遅延時間ｔ１０を設定する第２の遅延時間設定部である。
【００５０】
（ｃ）送信電力制御のタイミングチャート
図１８は、第３実施例の送信電力制御方法を示すタイミングチャートである。受信信号ＳＲのフレームは、パイロットシンボルＰ、ＴＰＣビットＴ、データＤＴ、ダミービットＤで構成され、フレーム先頭にパイロットシンボルが配置されている。
受信フレーム先頭タイミング信号ＳＨの発生時刻より時間ｔ１遅延した時刻においてフレーム先頭パルスＦＨが発生し、該フレーム先頭パルスＦＨに基づいて制御信号Ａ（ア、イ、ウ）が発生する。又、受信フレーム先頭タイミング信号ＳＨの発生時刻より時間ｔ１０遅延した時刻に送信電力制御タイミングを決定する制御信号Ｂが発生する。フレーム先頭パルスＦＨの発生時刻（遅延時刻ｔ１）は、該発生時刻より所定時間遅延して発生する送信信号ＳＴと受信信号ＳＲのフレームの先頭が一致するように決定される。又、制御信号Ｂの発生時刻（遅延時間ｔ１０）は、送信信号ＳＴのダミービットＤにおいて発生するように決定する。
制御信号Ｂ、制御電圧ｂ及び送信波電力Ｐにおける太線は本発明により送信電力制御を行う場合、細線は従来例により送信電力制御を行う場合である。
【００５１】
（ｄ）送信電力制御
送信電力制御に際して、送信電力制御部２６（図２）は相手局からの受信信号ＳＲのＴＰＣビットＴをチェックし、該ＴＰＣビットＴが送信電力増加を指示するものであれば制御電圧ａを設定量増加し、送信電力減小を指示するものであれば制御電圧ａを設定量減小し（図１８の▲１▼）、該制御電圧ａをラッチ回路１８に入力する。
ラッチ回路１８はタイミング生成回路１７から出力する制御信号Ｂの立上りに同期して、すなわち、送信信号ＳＴのダミービット部分で制御電圧ｂを変更し、送信部１６の可変減衰器１６ａの制御端子に入力する。これにより、送信部１６は送信信号の送信電力Ｐを変更する。
以上のように第３実施例ではダミービット部分Ｄで、すなわち、送信データの判定を必要としない部分から電力制御を始めるようにしたから、制御電圧ｂの時定数、送信波出力Ｐの過渡現象の時間をダミービット部分のシンボル数より十分小さくすれば、送信データの判定を必要としない期間で電力制御を完了でき、パイロット部分での位相回転やレベル変動による劣化を防ぐことができる。
【００５２】
（ｅ）ダミービットの挿入
フレームに送信データの判定を必要としないダミービットＤが存在するのは、１フレーム内の規定ビット数と実際の送信データのビット数が一致しない場合であり、図１９にダミービット挿入方法の例を示す。図１９（ａ）は、誤り訂正のための符号化（畳み込み符号化）の後で、ダミービットを挿入する例であり、図１９（ｂ）は符号化前にダミービットを挿入した例である。尚、符号化率Ｒ（符号化により１ビットが何ビットになるかを示すもの）は３、フラグの拘束長Ｋは９、フレーム長は４５ビット、データ長は１０ビットである。
図１９（ａ）では、１０ビットのデータに畳み込み符号化処理を施して３０ビットの符号化データと８ビットのＴａｉｌビットを生成し、しかる後、３ビットのパイロットビットＰと１ビットのＴＰＣビットＴをデータの前に挿入し、３ビットのダミービットＤをデータの後に挿入して規定の４５ビットのフレームにする。図１９（ｂ）では、１ビットのダミービットＤを符号化前に１０ビットデータの後ろに挿入し，この１１ビットデータに畳み込み符号化処理を施して３３ビットの符号化データと８ビットのＴａｉｌビットを生成し、しかる後、３ビットのパイロットビットＰと１ビットのＴＰＣビットＴをデータの前に配置して４５ビットのフレームにする。
【００５３】
（Ｄ）第４実施例
（ａ）要部構成図
図２０は本発明の第４実施例の要部構成図であり、図２のラッチ回路１８をタップ係数乗算値決定部１８′に置き換えたものである。
１１は送信データ生成部であり、パイロットビット、ＴＰＣビット、データビットより物理チャネルのフォーマットに従って２系列の送信データ列ａ１，ａ２を生成する。データは１ビットづつ交互に振り分けられて同相成分（Ｉ成分：Ｉｎ−Ｐｈａｓｅ  ｃｏｍｐｏｒｎｅｎｔ）Ｄ１と直交成分（Ｑ成分：Ｑｕａｄｒａｔｕｒｅ  ｃｏｍｐｏｒｎｅｎｔ）Ｄ２の２系列に変換されて送信データ生成部１１に入力し、送信データ生成部１１はそれぞれにパイロットビット、ＴＰＣビットを付加して２系列（Ｉチャネル、Ｑチャネル）の送信データ列ａ１、ａ２を出力する。
【００５４】
１２１，１２２は２系列の送信データ列ａ１、ａ２の各々をチップ周波数の拡散符号を用いて拡散する拡散部、１３１，１３２はＦＩＲフィルタで構成した波形整形フィルタであり、送信電力制御電圧ａに応じたタップ係数乗算値ｃ１，ｃ２に基づいて各タップ係数値を変更するようになっている。１４１，１４２は各フィルタ出力をＤＡ変換して出力するＤＡコンバータ、１５はＩ，Ｑ系列の拡散信号を直交変調する直交変調部、１６は送信部（Ｔｘ）で、直交変調された信号を送信周波数までアップコンバージョンすると共に所定の送信電力で送信する。直交変調部１５はＩチャネル信号及びＱチャネル信号に搬送波（ｓｉｎ波、ｃｏｓ波）を乗算する乗算器１５ａ，１５ｂと乗算結果を合成して出力するハイブリッド１５ｃを有している。
【００５５】
１７は送信部タイミング生成回路であり、相手局からの受信信号のフレーム先頭タイミングを示す信号ＳＨに基づいて送信データ列ａ１、ａ２の生成タイミングを示す制御信号Ａや送信電力変更タイミングを示す制御信号Ｂを生成する。制御信号Ｂは図２８の従来例と同様に送信信号ＳＴのフレーム先頭で立ち上がるようになっている。
１８′はタップ係数乗算値決定部であり、送信電力制御部２６より入力する制御電圧ａに基づいてタップ係数乗算値を計算し、得られたタップ係数乗算値をフレーム毎に交互にｃ１，ｃ２として波形整形フィルタ１３１，１３２のそれぞれに入力する。尚、波形整形フィルタ（ＦＩＲ型フィルタ）１３１，１３２は入力されたタップ係数乗算値ｃ１，ｃ２を用いてタップ係数を変更する。すなわち、タップ係数乗算値決定部１８′は、送信電力制御部２６（図２）より送信電力増加あるいは送信電力減小を指示する制御電圧ａが入力すれば、タップ係数乗算値を設定量増加あるいは減小して、該乗算値をｃ１として波形整形フィルタ１３１，１３２に入力する。次のフレームで、送信電力制御部２６（図２）より送信電力増加あるいは送信電力減小を指示する制御電圧ａが入力すれば、タップ係数乗算値決定部１８′は同様に、タップ係数乗算値を設定量増加あるいは減小して、該乗算値をｃ２として波形整形フィルタ１３１，１３２に入力する。以後、タップ係数乗算値を計算し、得られたタップ係数乗算値をフレーム毎に交互にｃ１，ｃ２として波形整形フィルタ１３１，１３２に入力する。
【００５６】
（ｂ）波形整形フィルタ
図２１はｎタップのＦＩＲ型フィルタで構成された波形整形フィルタの構成図であり、５１１〜５１ｎは入力データ列を順次遅延して次段に送出するフリップフロップ構成の遅延部、５２１〜５２ｎは予め設定されている各タップ係数ａ１〜ａｎにタップ係数乗算値ｃ１を乗算する第１の乗算器、５３１〜５３ｎは予め設定されている各タップ係数ａ１〜ａｎにタップ係数乗算値ｃ２を乗算する第２の乗算器、５４１〜５４ｎはタップ係数選択部であり、制御信号Ｂに同期してフレームの先頭で第１の乗算器５２１〜５２ｎから出力するタップ係数を選択し、次のフレーム先頭で第２の乗算器５３１〜５３ｎから出力するタップ係数を選択する。５５１〜５５ｎは各遅延部に記憶されているデータ値Ｄ１〜Ｄｎに選択部５４１〜５４ｎから出力するタップ係数ａ１′〜ａｎ′を乗算する第３の乗算器、５６は各乗算器５５１〜５５ｎの乗算結果を合計し、合計値を波形整形フィルタ出力として送出する加算器である。タップ係数乗算値ｃ１，ｃ２が大きくなると、タップ係数ａ１′〜ａｎ′が大きくなって出力が増大し、逆に、タップ係数乗算値ｃ１，ｃ２が小さくなると、タップ係数ａ１′〜ａｎ′が小さくなって出力が減小する。
【００５７】
（ｃ）送信電力制御
送信電力制御に際して、送信電力制御部２６（図２）は相手局からの受信信号ＳＲのフレームを構成するＴＰＣビットＴをチェックし、該ＴＰＣビットＴが送信電力増加を指示するものであれば制御電圧ａを設定量増加し、送信電力減小を指示するものであれば制御電圧ａを設定量減小し、該制御電圧ａをタップ係数乗算値決定部１８′に入力する。
タップ係数乗算値決定部１８′は、送信電力制御部２５（図２）より送信電力増加を指示する制御電圧ａが入力すれば、タップ係数乗算値を設定量増加し、送信電力減小を指示する制御電圧ａが入力すればタップ係数乗算値を設定量減小し、該タップ係数乗算値をｃ１として波形整形フィルタ１３１，１３２に入力する。
【００５８】
波形整形フィルタ１３１，１３２の第１の乗算器５２１〜５２ｎはタップ係数乗算値ｃ１と予め設定されている各タップ係数ａ１，ａ２，ａ３・・・ａｎを乗算して送信電力に応じた実際のタップ係数ａ１′，ａ２′，ａ３′・・・ａｎ′を計算する。タップ係数選択部５４１〜５４ｎは制御信号Ｂに同期してフレームの先頭で第１の乗算器５２１〜５２ｎから出力するタップ係数ａ１′〜ａｎ′を選択し、第３の乗算器５５１〜５５ｎは各遅延部に記憶されているデータ値Ｄ１〜Ｄｎにタップ係数ａ１′〜ａｎ′を乗算し、各乗算値を積算して出力する。
【００５９】
ついで、送信電力制御部２６は次の受信信号ＳＲのフレームを受信すれば、そのＴＰＣビットＴをチェックし、該ＴＰＣビットＴが送信電力増加を指示するものであれば制御電圧ａを設定量増加し、送信電力減小を指示するものであれば制御電圧ａを設定量減小し、該制御電圧ａをタップ係数乗算値決定部１８′に入力する。タップ係数乗算値決定部１８′は、送信電力制御部２６（図２）より制御電圧ａが入力すればタップ係数乗算値を計算し、該タップ係数乗算値をｃ２として波形整形フィルタ１３１，１３２に入力する。波形整形フィルタ１３１，１３２の第２の乗算器５３１〜５３ｎはタップ係数乗算値ｃ２と予め設定されている各タップ係数ａ１，ａ２，ａ３・・・ａｎを乗算して送信電力に応じた実際のタップ係数ａ１′，ａ２′，ａ３′・・・ａｎ′を計算する。タップ係数選択部５４１〜５４ｎは制御信号Ｂに同期してフレームの先頭で第２の乗算器５３１〜５３ｎから出力するタップ係数ａ１′〜ａｎ′を選択し、第３の乗算器５５１〜５５ｎは各遅延部に記憶されているデータ値Ｄ１〜Ｄｎにタップ係数ａ１′〜ａｎ′を乗算し、各乗算値を積算して出力する。
【００６０】
以後、上記タップ係数乗算値ｃ１，ｃ２を交互に使用して第３の乗算器５５１〜５５ｎの乗算値を積算して波形整形フィルタ出力とする。
以上より、ＴＰＣビットＴが送信電力増加を指示していればタップ係数ａ１′，ａ２′，ａ３′・・・大きくなって出力が増大し、ＴＰＣビットＴが送信電力現象を指示していればタップ係数ａ１′，ａ２′，ａ３′・・・小さくなって出力が減小する。
【００６１】
以上要約すれば、第４実施例は、送信電力の変更をフィルタ入力の入力ビット列で行うのではなく、タップ係数を変更するにより行っている。すなわち、送信電力制御部２６は受信信号のＴＰＣビットに基づいて送信電力を増減する制御電圧ａを発生し、タップ係数乗算値決定部１８′は、該制御電圧ａに基づいてタップ係数乗算値ｃ１またはｃ２を計算する。波形整形フィルタにおいて、タップ係数選択部５４１〜５４ｎにより選択されていない方の第１または第２の乗算器はタップ係数ａ１〜ａｎにタップ係数乗算値ｃ１またはｃ２を乗算し、実際のタップ係数として保持する（図２８の従来のタイムチャートにおける▲１▼の動作に対応する）。ついで、タップ係数選択部５４１〜５４ｎは制御信号Ｂに同期してフレーム先頭で、前記第１または第２の乗算器により乗算されて保持されている実際のタップ係数を選択し（図２８のタイムチャートにおける▲２▼の動作に対応する）、以後、該タップ係数を用いて波形整形処理を行う。
【００６２】
波形整形フィルタ（ＦＩＲフィルタ）１３１，１３２の出力は、入力インパルス列の各インパルスに対する応答（図２２参照）を合成したものである。このフィルタに入力するインパルスの大きさをフレーム先頭より送信電力制御量分大きく、あるいは、小さくすれば、図２３に示すようにフィルタ出力信号に位相回転やレベル変動が生じないようにできる。
以上より、第４実施例の送信電力制御によれば、パイロットシンボルに位相回転やレベル変動が生じないようにでき、データ識別精度や受信品質の劣化を防止できる。
第４実施例では、送信電力制御電圧ａに基づいて波形整形フィルタ１３１，１３２のタップ係数値を変更したが、波形整形フィルタの前段に乗算器を設け、該乗算器の乗算値を送信電力制御電圧ａに基づいて制御し、該乗算値をデジタルデータに乗算し、乗算結果を波形整形フィルタに入力してフィルタ入力レベルを送信電力に基づいて変更することもできる。
以上、本発明を実施例により説明したが、本発明は請求の範囲に記載した主旨に従い種々の変形が可能であり、本発明はこれらを排除するものではない。
【００６３】
【発明の効果】
以上本発明によれば、（１）  誤り訂正のための符号化がなされている送信信号部分の期間で、あるいは、（２）  受信品質の測定を行わない送信信号部分の期間で、あるいは、（３）  送信データの識別判定を必要としない送信信号部分の期間で、送信電力制御（過渡現象を含む）を行う。（１）のように誤り訂正の符号化がなされている送信信号部分（例えば送信データ部分）の期間で送信電力制御を行えば、パイロットやＴＰＣビットに位相回転やレベル変動が生じないようにできる。一方、送信データには送信電力制御による位相回転やレベル変動による誤りが生じるが、受信側の誤り訂正回路においてデータ誤りを訂正でき、送信電力制御がデータ識別精度や受信品質に与える影響を少なくできる。
【００６４】
又、（２）のように受信品質の測定を行わない送信信号部分の期間で送信電力制御を行えば、該部分は受信品質測定を行うことが定義されていない部分なので受信品質の劣化を生ずることがない。
又、（３）のように送信データの識別判定を必要としない送信信号部分（ダミービット部分）の期間で送信電力制御を行えば、パイロットビットやＴＰＣビットに位相回転やレベル変動が生じないようにできる。一方、ダミービットには送信電力制御による位相回転やレベル変動による誤りが生じるが、識別判定を必要としないため、データが誤ってもよいので、送信電力制御の影響をなくすることができる。
【００６５】
又、上記（１），（２）の場合において、送信電力の変更タイミングを、前記送信信号部分の期間内において、（ａ）  ランダムに切り替えたり、あるいは、（ｂ）  規則的に切り替えたり、あるいは、（ｃ）  切替範囲を指定して該範囲内でランダムに、あるいは、規則的に切り替える。以上（ａ）〜（ｃ）のようにすれば、送信電力制御で復調データに誤りが生じやすくなる位置をランダムにあるいは規則的に分散することができる。又、（ｃ）のようにすれば、電力変更時刻が設定範囲に収まっているので、受信側において該範囲外の信号部分を用いて受信品質を測定することで測定精度を向上できるという効果が期待できる。
【００６６】
又、本発明によれば、（１）  フレームの先頭を誤り訂正の符号化がなされている部分にし、あるいは、（２）  フレームの先頭を受信品質の測定を行わない部分にし、送信電力の変更をフレームの先頭で行うようにしたから、パイロットビットやＴＰＣビットに位相回転やレベル変動が生じないようにできる。この場合、送信データには送信電力制御による位相回転やレベル変動による誤りが生じるが、誤り訂正回路においてデータ誤りを訂正できるので、送信電力制御の影響を少なくすることができる。
又、本発明によれば、送信電力の変更を波形整形フィルタの前段あるいは、波形整形フィルタで行うようにしたから、フィルタ出力信号に位相回転やレベル変動が生じないようにでき、送信電力制御によるデータ識別精度や受信品質の劣化を防止できる。
【図面の簡単な説明】
【図１】本発明の第１実施例の概略説明図である。
【図２】送信電力制御に着目した本発明のＣＤＭＡ局の構成図である。
【図３】第１実施例のタイミング生成回路である。
【図４】第１実施例の送信電力制御のタイムチャートである。
【図５】第１実施例の別のタイミング生成回路である。
【図６】第１実施例の送信電力制御の別のタイムチャートである。
【図７】第２変形例のタイミング生成回路である。
【図８】第２変形例の送信電力制御のタイムチャートである。
【図９】第３変形例のタイミング生成回路である。
【図１０】第３変形例の送信電力制御のタイムチャートである。
【図１１】第４変形例のタイミング生成回路である。
【図１２】第４変形例の送信電力制御のタイムチャートである。
【図１３】第２実施例の概略説明図である。
【図１４】第２実施例のタイミング生成回路である。
【図１５】第２実施例の送信電力制御のタイムチャートである。
【図１６】第３実施例の概略説明図である。
【図１７】第３実施例のタイミング生成回路である。
【図１８】第３実施例の送信電力制御のタイムチャートである。
【図１９】ダミービットの挿入方法説明図である。
【図２０】第４実施例の送信部の要部構成図である。
【図２１】波形整形フィルタの構成図である。
【図２２】ＦＩＲフィルタのインパルス応答波形図である。
【図２３】フィルタ入出力波形説明図である。
【図２４】移動局の受信装置の構成図である。
【図２５】パイロットシンボルの位相回転説明図である。
【図２６】送信部の要部構成図である。
【図２７】従来のタイミング生成回路の構成図である。
【図２８】従来の送信電力制御を示すタイムチャートである。
【符号の説明】
１１・・送信データ生成部
１２・・拡散部
１３・・波形整形フィルタ
１４・・ＤＡコンバータ
１５・・直交変調部
１６・・送信部（Ｔｘ）
１６ａ・・可変減衰器
１７・・送信部タイミング生成回路
１８・・ラッチ回路
２１・・アンテナ
２２・・受信部（Ｒｘ）
２３・・直交復調部
２４・・逆拡散部
２５・・検波部
２６・・送信電力制御部
２７・・ＴＰＣビット生成部
２８・・受信タイミング検出部
２９・・基準タイミング生成部
【図１】
0003595173.tif 000002
【図２】
0003595173.tif 000003
【図３】
0003595173.tif 000004
【図４】
0003595173.tif 000005
【図５】
0003595173.tif 000006
【図６】
0003595173.tif 000007
【図７】
0003595173.tif 000008
【図８】
0003595173.tif 000009
【図９】
0003595173.tif 000010
【図１０】
0003595173.tif 000011
【図１１】
0003595173.tif 000012
【図１２】
0003595173.tif 000013
【図１３】
0003595173.tif 000014
【図１４】
0003595173.tif 000015
【図１５】
0003595173.tif 000016
【図１６】
0003595173.tif 000017
【図１７】
0003595173.tif 000018
【図１８】
0003595173.tif 000019
【図１９】
0003595173.tif 000020
【図２０】
0003595173.tif 000021
【図２１】
0003595173.tif 000022
【図２２】
0003595173.tif 000023
【図２３】
0003595173.tif 000024
【図２４】
0003595173.tif 000025
【図２５】
0003595173.tif 000026
【図２６】
0003595173.tif 000027
【図２７】
0003595173.tif 000028
【図２８】
0003595173.tif 000029